(57)【要約】【課題】呼び樋が不要で、かつ、竪樋が目立つことがなく、外観上秀麗な仕上がりとなる樋構造を提供する。【解決手段】屋根１の軒先部２の下側に、袖壁８が軒方向と直交して設けられ、袖壁８の側端部に、竪樋１５が取り付けられ、この竪樋１５の上端部が、軒樋５の袖壁上端近傍の部位に接続されているので、建物の外壁３に竪樋を取り付ける場合に比して、竪樋１５が目立たなくなり、外観上秀麗な仕上がりとなる。また、袖壁８の側端部に竪樋１５が取り付けられているので、竪樋１５の上端部と軒樋５との距離が短くなる。そして、竪樋１５の上端部が、軒樋５の袖壁上端近傍の部位に接続されているので、呼び樋が不要であり、この点においても外観上秀麗な仕上がりとなる。【選択図】図１
2010248817.tif 000002
【特許請求の範囲】
【請求項１】
屋根の軒先に軒樋が設けられ、この軒樋に竪樋が接続された樋構造において、
前記屋根の軒先部の下側に、袖壁が軒方向と直交して設けられており、
前記袖壁の側端部に、前記竪樋が取り付けられており、
この竪樋の上端部が、前記軒樋の前記袖壁上端近傍の部位に接続されていることを特徴とする樋構造。 
【請求項２】
請求項１に記載の樋構造において、
前記軒樋の前記袖壁上端近傍の部位にドレン部が接続されており、
前記竪樋の上端部が、前記ドレン部を介して前記軒樋に接続されていることを特徴とする樋構造。 
【請求項３】
請求項１または２に記載の樋構造において、
前記竪樋は、前記袖壁の側端面に沿って配置されるとともに、この側端面に取り付けられていることを特徴とする樋構造。 
【請求項４】
請求項３に記載の樋構造において、
前記竪樋は、前記袖壁の側端面の幅内に配置されていることを特徴とする樋構造。 
【請求項５】
請求項１〜４のいずれか一項に記載の樋構造において、
前記屋根の軒先部の下方に、コンクリート床が前記袖壁が設置された基礎に連続して設けられており、
前記竪樋の下端部は、前記コンクリート床の外側に配置されていることを特徴とする樋構造。
【発明の詳細な説明】
【技術分野】
【０００１】
本発明は、屋根の軒先に設けられた軒樋に竪樋が接続された樋構造に関する。
【背景技術】
【０００２】
屋根の軒先に設けられた軒樋に竪樋が接続された樋構造の一例として特許文献１に記載のものが知られている。
この樋構造では、家屋の屋根の軒先に軒樋が取り付けられ、この軒樋の底壁に排水ドレンが設けられ、この排水ドレンに、エルボを介して呼び樋の一端が接続され、呼び樋の他端にエルボを介して竪樋が接続され、竪樋の下端が排水管カバーを介して地中に埋設された排水管に接続され、屋根の軒先から流下した雨水を受けて排水管側に排水するようになされている。
前記竪樋は、建物の外壁に沿うとともに、この外壁に取り付けられている。したがって、軒樋に竪樋を接続するには、呼び樋を軒樋と竪樋との間に配置するとともに、この呼び樋をエルボを介して軒樋と竪樋に接続している。
【先行技術文献】
【特許文献】
【０００３】
【特許文献１】特開２００５−３３０６６５号公報
【発明の概要】
【発明が解決しようとする課題】
【０００４】
ところで、屋根の軒の出が長くなると、それに伴って、軒先に取り付けられている軒樋と、外壁に取り付けられている竪樋との間の距離が長くなるので、その分、呼び樋の長さが長くなって、長い呼び樋が軒天井を横切るようにして配置されることになる。このように、呼び樋が長くなると、外観上好ましくないばかりか、呼び樋を軒天井に取り付けるといった作業も必要になる。
また、外壁に竪樋が取り付けられているので、この竪樋が目立ってしまい、外観上好ましくない。さらに、外壁に左右幅の大きい窓等を設けた場合、この窓を避けるようにして竪樋を配置しなければならず、手間がかかるうえ、竪樋が目立ってしまい、外観上好ましくない。
【０００５】
本発明は上記事情に鑑みてなされたもので、呼び樋が不要で、かつ、竪樋が目立つことがなく、外観上秀麗な仕上がりとなる樋構造を提供することを課題としている。
【課題を解決するための手段】
【０００６】
上記課題を解決するために、請求項１に記載の発明は、例えば図１〜図４に示すように、屋根１の軒先に軒樋５が設けられ、この軒樋５に竪樋１５が接続された樋構造において、
前記屋根１の軒先部２の下側に、袖壁８が軒方向と直交して設けられており、
前記袖壁８の側端部に、前記竪樋１５が取り付けられており、
この竪樋１５の上端部が、前記軒樋５の前記袖壁上端近傍の部位に接続されていることを特徴とする。
【０００７】
請求項１に記載の発明によれば、屋根１の軒先部２の下側に設けられた袖壁８の側端部に、竪樋１５が取り付けられているので、建物の外壁３に竪樋を取り付ける場合に比して、竪樋１５が目立たなくなり、外観上秀麗な仕上がりとなる。
また、袖壁８の側端部に竪樋１５が取り付けられているので、竪樋１５の上端部と軒樋５との距離が短くなる。そして、竪樋１５の上端部が、軒樋５の袖壁上端近傍の部位に接続されているので、呼び樋が不要であり、この点においても外観上秀麗な仕上がりとなる。
【０００８】
請求項２に記載の発明は、請求項１に記載の樋構造において、
前記軒樋５の前記袖壁上端近傍の部位にドレン部１７が接続されており、
前記竪樋１５の上端部が、前記ドレン部１７を介して前記軒樋５に接続されていることを特徴とする。
【０００９】
請求項２に記載の発明によれば、竪樋１５の上端部が、ドレン部１７を介して軒樋５に接続されているので、軒樋５に対する竪樋１５の取り付けの際の位置決めが容易であり、また、竪樋１５の上端部の直上から、軒樋５が若干ずれて配置されていても、ドレン部１７を介して竪樋１５の上端部を軒樋５に容易に接続できる。
【００１０】
請求項３に記載の発明は、請求項１または２に記載の樋構造において、
前記竪樋１５は、前記袖壁８の側端面８ｃに沿って配置されるとともに、この側端面８ｃに取り付けられていることを特徴とする。
【００１１】
請求項３に記載の発明によれば、竪樋１５が、袖壁８の側端面８ｃに沿って配置されるとともに、この側端面８ｃに取り付けられているが、袖壁８の側端面８ｃは上下に細長い面であるので、幅広な面に竪樋１５を取り付ける場合に比して、竪樋１５がより目立たなくなる。
【００１２】
請求項４に記載の発明によれば、請求項３に記載の樋構造において、
前記竪樋１５は、前記袖壁８の側端面８ｃの幅内に配置されていることを特徴とする。
【００１３】
請求項４に記載の発明によれば、竪樋１５が、袖壁８の側端面８ｃの幅内に配置されているので、竪樋１５が袖壁８の側端面８ｃから左右にはみ出すことがなく、よって、竪樋１５がより目立たなくなる。
【００１４】
請求項５に記載の発明は、請求項１〜４のいずれか一項に記載の樋構造において、
前記屋根１の軒先部２の下方に、コンクリート床２２が前記袖壁８が設置された基礎２０に連続して設けられており、
前記竪樋１５の下端部は、前記コンクリート床２２の外側に配置されていることを特徴とする。
【００１５】
請求項５に記載の発明によれば、竪樋１５の下端部がコンクリート床２２の外側に配置されているので、竪樋１５の下端部をコンクリート床２２上を這わせたり、あるいはコンクリート床２２を貫通させることなく、地盤に設けられた排水構に接続できる。
【発明の効果】
【００１６】
本発明によれば、屋根の軒先部の下側に、袖壁が軒方向と直交して設けられており、前記袖壁の側端部に、前記竪樋が取り付けられており、この竪樋の上端部が、前記軒樋の前記袖壁上端近傍の部位に接続されているので、建物の外壁に竪樋を取り付ける場合に比して、竪樋が目立たなくなって、外観上秀麗な仕上がりとなり、また、竪樋の上端部が、軒樋の袖壁上端近傍の部位に接続されているので、呼び樋が不要であり、この点においても外観上秀麗な仕上がりとなる。
【図面の簡単な説明】
【００１７】
【図１】本発明に係る樋構造の一例を示すもので、その要部の側断面図である。
【図２】同、正面図である。
【図３】同、上から見た斜視図である。
【図４】同、下から見上げた斜視図である。
【発明を実施するための形態】
【００１８】
以下図面を参照して本発明の実施の形態について説明する。
図１は本発明に係る樋構造の一例を示すもので、その側断面図、図２は正面図、図３は上から見た斜視図、図４は下方から見上げた斜視図である。
これらの図において符号１は屋根を示す。この屋根１は傾斜屋根であり、その軒先部２は建物の外壁３によって下方から支持されている。なお、屋根１のけらばには、破風４が取り付けられている。
【００１９】
屋根１の軒先には軒樋５が取り付けられている。すなわち、屋根１の軒先に、取付部材６が軒方向（図１において紙面と直交する方向）に所定間隔で複数固定されており、この取付部材６に、軒樋５が取り付けられている。
軒樋５は、屋根１の軒方向に長尺な溝状のものであり、この軒樋５の外側の上縁部が取付部材６の先端部に係合されており、内側の上縁部が取付部材６の基端部に係合されている。また、軒樋５には水勾配が付されている。つまり、軒樋５は、図２において、左側に向かうにしたがって漸次下方に若干傾斜するようにして、取り付けられている。
【００２０】
前記屋根１の軒先部２の下側には、袖壁８が軒方向（図１において紙面と直交する方向、図２において左右方向）と直交して設けられている。袖壁８は、屋根１のけらば側の下側において、外壁３から前方に突出するようにして設けられており、外壁３に対して直角に配置されている。
袖壁８は、図１に示すように、壁パネルで構成された袖壁本体８ａと、この袖壁本体８ａの表面に取り付けられた外装材８ｂとを備えており、袖壁本体８ａの上端部は軒天材９より上方に突出している。この袖壁本体８ａの上端部でかつ屋根１の軒先側の部分に、結合材１０が固定されており、この結合材１０によって屋根１の軒先が下方から支持されている。
また、袖壁８の側端面８ｃは屋根１の軒先より内側に位置している。袖壁８の側端面８ｃとは、図３に示すように、袖壁８の両側端部のうち、外壁３と交差していない方の側端部側の端面のことである。
また、前記外壁３には、図２および図４に示すように、掃出し窓７が設けられている。この掃出し窓７は左右の幅が大きく、その一方の縦枠７ａは、袖壁８と外壁３との交差部付近に位置している。
【００２１】
図１に示すように、前記軒天材９は水平に設けられており、野縁９ａに固定されている。また、屋根１の軒先部２の裏面には、鼻隠し１１が取り付けられており、この鼻隠し１１の支持部１１ａによって、軒天材９の先端部が支持されている。この支持部１１ａは袖壁８の側端面８ｃの上端部に当接されており、この当接された部位にシーリング材１２が施工されている。
また、軒天材９の基端部は前記外壁３に取り付けられた図示しない野縁に固定されており、軒天材９の側端部は、図４に示すように、袖壁８の側面８ｄに当接されている。なお、軒天材９の基端部と外壁３との接合部、および軒天材９の側端部と袖壁８の側面８ｄの接合部には、それぞれシーリング材が施工されている。
【００２２】
前記袖壁８の側端部には、竪樋１５が取り付けられている。すなわち、竪樋１５は四角筒状のものであり、袖壁８の側端面８ｃに沿って上下方向に延在して配置され、この側端面８ｃに樋支持具１６によって取り付けられている。樋支持具１６は、図１に示すように、竪樋１５の外周部を保持する保持リング１６ａと、この保持リング１６ａに設けられて、該保持リング１６ａを袖壁８の側端面８ｃに固定する軸部１６ｂとを備えており、この軸部１６ｂが側端面８ｃに打ち込まれるか、あるいはねじ込まれている。
このような樋支持具１６は竪樋１５の長手方向（上下方向）に所定間隔で設けられており、これら樋支持具１６によって、竪樋１５が前記側端面８ｃに、該側端面８ｃと僅かな隙間をもって取り付けられている。
また、竪樋１５は、図２に示すように、袖壁８の側端面８ｃの幅内に配置されている。つまり、竪樋１５の左右の幅（直径）は、側端面８ｃの左右の幅より小さくなっており、この竪樋１５が、袖壁８の側端面８ｃを正面視した場合に、側端面８ｃの左右の端から突出しないようにして、竪樋１５が側端面８ｃに取り付けられている。
【００２３】
前記竪樋１５の上端部は、前記軒樋５の袖壁上端近傍の部位に接続されている。すなわち、軒樋５の袖壁上端近傍の部位には、ドレン部１７が接続されており、このドレン部１７に竪樋１５の上端部が接続されている。
ドレン部１７は、略Ｌ字型に形成された四角筒状のドレン筒１７ａと、このドレン筒１７ａの上端部の内側にはめ込まれたトラップ部１７ｂとを備えている。
ドレン筒１７ａは、トラップ部１７ｂが設けられた一方の開口部を上に向け、他方の開口部を下に向けて配置され、一方の開口部が、軒樋５の袖壁上端近傍の部位にある底部に形成された孔に接続されている。この孔は、軒樋５に付された水勾配の最も低い部位に形成されている。また、ドレン筒１７ａの他方の開口部は、竪樋１５の上端部に被せるようにして接続されている。
トラップ部１７ｂは例えば皿状に形成されており、その底部には、水を通し、落ち葉やゴミ等を通さないスリットや孔が多数形成されている。
【００２４】
前記袖壁８は、図２および図３に示すように、基礎２０に設置されている。この基礎２０は建物の外壁３を支持する基礎２１に直交して形成されたものであり、この基礎２０，２１に連続してコンクリート床２２が設けられている。このコンクリート床２２は、コンクリートたたきと称されるものであり、屋根１の軒先部２の下方に配置されている。
また、基礎２０の端面２０ａは、袖壁８の側端面８ｃおよびコンクリート床２２の側端面２２ａとほぼ面一になっている。
竪樋１５は、袖壁８の側端面８ｃに取り付けられているので、この竪樋１５の下端部は、コンクリート床２２の外側で、かつ、基礎２０の端面２０ａより若干前方に配置されている。この竪樋１５の下端部は、例えば、地盤に設けられた排水構や地盤中に設けられた配水管等に接続される。
【００２５】
本実施の形態によれば、屋根１の軒先部２の下側に設けられた袖壁８の側端部に、竪樋１５が取り付けられているので、建物の外壁３に竪樋を取り付ける場合に比して、竪樋１５が目立たなくなり、外観上秀麗な仕上がりとなる。
また、袖壁８の側端部に竪樋１５が取り付けられているので、竪樋１５の上端部と軒樋５との距離が短くなる。そして、竪樋１５の上端部が、軒樋５の袖壁上端近傍の部位に接続されているので、呼び樋が不要であり、この点においても外観上秀麗な仕上がりとなる。
さらに、竪樋１５の上端部が、ドレン部１７を介して軒樋５に接続されているので、軒樋５に対する竪樋１５の取り付けの際の位置決めが容易であり、また、竪樋１５の上端部の直上から、軒樋５が若干ずれて配置されていても、ドレン部１７を介して竪樋１５の上端部を軒樋５に容易に接続できる。
【００２６】
また、竪樋１５が、袖壁８の側端面８ｃに沿って配置されるとともに、この側端面８ｃに取り付けられているが、袖壁８の側端面８ｃは上下に細長い面であるので、幅広な面（例えば、袖壁８の側面８ｄ）に竪樋１５を取り付ける場合に比して、竪樋１５がより目立たなくなる。
また、竪樋１５が、袖壁８の側端面８ｃの幅内に配置されているので、竪樋１５が袖壁８の側端面８ｃから左右にはみ出すことがなく、よって、竪樋１５がより目立たなくなる。
さらに、竪樋１５の下端部がコンクリート床２２の外側に配置されているので、竪樋１５の下端部をコンクリート床２２上を這わせたり、あるいはコンクリート床２２を貫通させることなく、地盤に設けられた排水構に接続できる。
【００２７】
なお、本実施の形態では、竪樋１５を袖壁８の側端面８ｃに取り付けたが、これに限ることなく、袖壁８の側端部に取り付ければよい。例えば、袖壁８のいずれか一方の側面で、かつ、側端面８ｃに近い部位に取り付けてもよい。
【符号の説明】
【００２８】
１  屋根
２  軒先部
３  外壁
５  軒樋
８  袖壁
８ｃ  側端面
１５  竪樋
１７  ドレン部
【図１】
2010248817.tif 000003
【図２】
2010248817.tif 000004
【図３】
2010248817.tif 000005
【図４】
2010248817.tif 000006